(57)【特許請求の範囲】
【請求項１】
巻掛け駆動の伝動ベルトに接触する外周面と回転体を内包する内周面とを有した略円筒形で、前記略円筒形が前記略円筒形の中心軸と直角方向に２分割された右枠と左枠で構成されており、前記右枠と前記左枠が接合されることで前記外周面と前記内周面にできる接合線が前記伝動ベルトの接触する直線状の部分を食み出して、凹凸、ジグザグまたは波状あるいはこれらの組み合わせの形状で嵌合する回転体保護枠。
【請求項２】
前記右枠と前記左枠が同一形状である請求項１記載の回転体保護枠。
【請求項３】
前記回転体が、デシカントローターおよび／または顕熱ローターである請求項１記載または請求項２の回転体保護枠。
【発明の詳細な説明】
【技術分野】
【０００１】
本発明は、デシカント式換気扇の吸着素子や顕熱交換器のように中空の材質のものを、その除湿機能・加湿機能や調温機能を発揮させるために巻掛け駆動で回転させる回転体の回転体保護枠に関する。
【背景技術】
【０００２】
回転体が利用される例として、デシカント式換気扇がある。デシカント式換気扇は屋内の空気を入れ換える所謂換気の際に、デシカントを利用して屋内の湿度調整を行い、同時に換気の際の屋内の温度変化を少なくするために、顕熱交換器で屋内の温度を調整する装置である。デシカント式換気扇では、屋外から屋内へ屋外空気が通過する給気通路と、屋内から屋外へ屋内空気が通過する排気通路を有しており、この給気通路と排気通路の間で水分の移動をデシカントで行うことで、屋内の湿度調整が行われており、同時に顕熱交換器で給気通路と排気通路の間で熱の移動が行われることで、屋内の温度調整が行われている。
【０００３】
デシカントで給気通路と排気通路の間で水分を移動させるために、デシカント材を紙等の繊維質の材料に含浸または混抄させ、その繊維質の材料を薄い板状としたものを、空気が通過できるように多数の三角柱（コルゲート状）、四角柱、六角柱を隙間なく並べた構造の孔の集合体、所謂ハニカム構造体となるように成型していた。このハニカム構造体を給気通路と排気通路の両方に跨るように回転させることで水分を移動させている。このため、ハニカム構造体は回転するのに適する様に円盤状に加工されていた。なお、このデシカント材が含浸等された円盤状のハニカム構造体は、吸着素子と呼ばれている。
【０００４】
また、顕熱交換器では、給気通路と排気通路の間で熱を移動させるために、銅合金やアルミニウムなどの薄い金属製の板で前述のハニカム構造体を形成して、給気通路と排気通路の両方に跨るように回転させることで熱を移動させている。
【０００５】
前記吸着素子および前記顕熱交換器は前述のように柔らかな材質や中空の構造であるため、そのままの状態で巻掛け駆動により回転させることは、変形を増長させるおそれがあった。また、デシカント式換気扇に組み込まれた場合、前記デシカント式換気扇が要求される使用期間中に変形するおそれがあった。そこで、前記吸着素子および顕熱交換器の外周に回転体保護枠を設け、回転体保護枠に外部からの巻掛け駆動の回動力を加えられる構造にしている。
【先行技術文献】
【特許文献】
【０００６】
【特許文献１】特開２００９−１９７８８号公報
【発明の概要】
【発明が解決しようとする課題】
【０００７】
特許文献１の図３および図４には、回転体保護枠の外周に伝動ベルトを掛けることによる巻掛け駆動が示されている。そして、回転体保護枠の外周に伝動ベルトを掛ける場合には、伝動ベルトが外れないようにするために回転体保護枠の中央部に伝動ベルトが掛けられている。
【０００８】
また、吸着素子や顕熱交換器の外周に回転体保護枠を被せようとする場合には、円盤状の一体形状である吸着素子または顕熱交換器の外周面を覆い、回転中に回転体保護枠から吸着素子または顕熱交換器が脱落しないようにする必要があるので、回転体保護枠を分割して、吸着素子または顕熱交換器を挟み込むようにし、回転体保護枠に装着する必要があった。その場合に、回転する回転体保護枠を半円や扇型に分割して接合すると、円の形状が変形しやすくなるため、２つの環状に２分割し、２分割された二つの環の中に吸着素子または顕熱交換器を挟み込み、その後２分割された環を再び接合する方法があった。
【０００９】
しかしながら、前述のように、回転体保護枠の外周に伝動ベルトを掛けて巻掛け駆動を行おうとすると、回転体保護枠の外周の接合部分が伝動ベルトに接触する箇所となり、回転体保護枠は伝動ベルトによる力で、接合されている箇所において分離しようとする方向に力が働くという問題があった。
【課題を解決するための手段】
【００１０】
上記の課題を解決するため、本発明では、次の技術的手段を講じている。
【００１１】
第１発明の回転体保護枠は、巻掛け駆動の伝動ベルトに接触する外周面と回転体を内包する内周面とを有した略円筒形で、前記略円筒形が前記略円筒形の中心軸と直角方向に２分割された右枠と左枠で構成されており、前記右枠と前記左枠が接合されることで前記外周面と前記内周面にできる接合線が前記伝動ベルトの接触する直線状の部分を食み出して、凹凸、ジグザグまたは波状あるいはこれらの組み合わせの形状で嵌合している。
【００１２】
第２発明の回転体保護枠は、第１発明において、前記右枠と前記左枠が同一形状である。
【００１３】
第３発明の回転体保護枠は、第１発明または第２発明において、前記回転体が、デシカントローターおよび／または顕熱ローターである。
【発明の効果】
【００１４】
以上のような、技術的手段を有することにより、以下の効果を有する。
【００１５】
第１発明によれば、回転体保護枠は、巻掛け駆動の伝動ベルトに接触する外周面と回転体を内包する内周面とを有した略円筒形で、前記略円筒形が前記略円筒形の中心軸と直角方向に２分割された右枠と左枠で構成されており、前記右枠と前記左枠が接合されることで前記外周面と前記内周面にできる接合線が前記伝動ベルトの接触する直線状の部分（以下、「伝動ベルトの接触線」と略す）を互いに逆側に跨ぐように、凹凸、ジグザグまたは波状あるいはこれらの組み合わせの形状で嵌合しているので、回転体の外周面に伝動ベルトから一定の力が加わりながら回転させられたとしても、伝動ベルトの接触線を越えて右枠であれば左枠側に、左枠であれば右枠側に、右枠および左枠の夫々が食み出し、さらに内周面側と外周面側との食み出す長さが、内周面側が長い場合は、外周面側が短くなり、逆に内周面側が短い場合は外周面側が長くなるようになっている。これにより、伝動ベルトで接触線に力が加えられても、右枠の内周面と左枠の外周面、または右枠の外周面と左枠の内周面とが密接するように働き合うことで、回転体保護枠が右枠と左枠に分離し難くなる。
【００１６】
第２発明によれば、第１発明を利用し、前記右枠と前記左枠が同一形状であるので、製作時の費用や、組立が容易となる。
【００１７】
第３発明によれば、第１発明または第２発明を利用し、前記回転体が、デシカントローターおよび／または顕熱ローターであるので、前記デシカントローターおよび／または前記顕熱ローターの様な中空の柔らかな材質の回転体に装着して回転させる場合でも前記回転体を保護し、回転体保護枠の変形を防止して長期の使用に耐えることができる。
【図面の簡単な説明】
【００１８】
【図１】本発明の実施例１に係る回転体保護枠が設けられているデシカン換気扇の概要図である。
【図２】本発明の実施例１に係る回転体保護枠が設けられているローター枠の構成図である。
【図３】本発明の実施例１に係る回転体保護枠に吸着素子に取り付ける場合の説明図である。
【図４】本発明の実施例１に係る回転体保護枠に顕熱交換器に取り付ける場合の説明図である。
【図５】本発明の実施例１に係る回転体保護枠の斜視図である。
【図６】本発明の実施例１に係る回転体保護枠の分割された斜視図である。
【図７】図５におけるＡ−Ａ断面図である。
【図８】本発明の実施例２に係る回転体保護枠の側面図である。
【図９】本発明の実施例３に係る回転体保護枠の側面図である。
【発明を実施するための形態】
【００１９】
発明を実施する形態について、図面に基づいて具体的に説明する。
【実施例１】
【００２０】
本発明の回転体保護枠１０が取り付けられる例として、デシカント式換気扇を例にして説明する。デシカント式換気扇７０およびデシカント式換気扇７０に吸着素子３０および顕熱交換器４０が内部に組み込まれた概略的な構成について、図１を用いて説明する。
【００２１】
デシカント式換気扇７０は、第一の送風機７１によって屋外から屋内に向かって屋外空気が流される第一の風路７２と、第二の送風機７６によって屋内から屋外に向かって屋内空気が流される第二の風路７７よりなる。第一の風路７２および第二の風路７７はその途中において屋外空気と屋内空気とが混ざらないように気密性を保つ構造となっている。第一の風路７２および第二の風路７７のそれぞれに直交して、回転体保護枠１０が取り付けられた回転体の吸着素子３０と顕熱交換器４０が設けられている。回転体保護枠１０は後述する伝動ベルト５２が巻掛けされて、電動機５０で回転させられている。
【００２２】
第一の風路７２を通過する屋外空気が乾燥しており、第二の風路７７を通過する屋内空気が屋外空気に比較して湿り気を含んでいる場合には、吸着素子３０が第二の風路７７を通過する屋内空気の水分を吸着し、吸着した部分が回転させられることにより第一の風路７２に移動し、第一の風路７２を通過する屋外空気に放出することで、デシカント換気扇７０の換気運転に伴う屋内空気からの水分が失われることを防ぎ、結果保湿機能として働く。逆に第一の風路７２を通過する屋外空気が湿り気を含んでおり、第二の風路７７を通過する屋内空気が屋外空気に比較して乾燥している場合には、吸着素子３０が第一の風路７２を通過する屋外空気の水分を吸着し、吸着した部分が回転させられることにより第二の風路７７に移動し、第二の風路７７を通過する屋内空気に放出することで、デシカント換気扇７０の換気運転に伴う屋内空気の湿度を上昇させることを防ぎ、結果除湿機能として働く。
【００２３】
なお、吸着素子３０の水分を放出させる際には、通過する空気の温度を上げる必要があるため。吸着素子３０の空気の流れの上流側に電熱ヒーターや温水ヒーター等の加温手段（図示せず）を設けることが一般的である。
【００２４】
また、第一の風路７２を通過する屋外空気が冷たく、第二の風路７７を通過する屋内空気が屋外空気に比較して暖かい場合には、顕熱交換器４０が第二の風路７７を通過する屋内空気の熱を吸熱し、吸熱した部分が回転させられることにより第一の風路７２に移動し、第一の風路７２を通過する屋外空気に放熱することで、デシカント換気扇７０の換気運転に伴う屋内空気の温度低下を防ぐ。逆に第一の風路７２を通過する屋外空気が暖かく、第二の風路７７を通過する屋内空気が屋外空気に比較して冷たい場合には、顕熱交換器４０が第一の風路７２を通過する屋外空気の熱を吸熱し、吸熱した部分が回転させられることにより第二の風路７７に移動し、第二の風路７７を通過する屋内空気に放熱することで、デシカント換気扇７０の換気運転に伴う屋内空気の温度上昇を防ぐ。
【００２５】
また、第一の送風機７１、第二の送風機７６、吸着素子３０と顕熱交換器４０の電動機５０は電気が供給されることにより駆動し、この駆動の制御は制御基板７９および操作装置（図示せず）によって行われる。
【００２６】
回転体保護枠１０が取り付けられた吸着素子３０の巻掛け駆動について、図２を用いて説明する。破線で示す直方体のローター枠６０の中に回転体保護枠１０が取り付けられた吸着素子３０、プーリー５１の付いた電動機５０、伝動ベルト５２、テンションプーリー５３、が納められている。直方体のローター枠６０に回転体保護枠１０が取り付けられた吸着素子３０を納める理由は、メンテナンスを容易にするためである。テンションプーリー５３は、バネ（図示せず）でテンションプーリー５３に押す力を与えて伝動ベルト５２を所定の力で押している。伝動ベルト５２が回転体保護枠１０の外周やプーリー５１と滑らないようにするためである。なお、顕熱交換器４０についても同一の回転体保護枠１０が用いられるので、ローター枠６０、プーリー５１の付いた電動機５０、伝動ベルト５２、テンションプーリー５３との関係は同一となっており説明を省略する。
【００２７】
図３を用いて回転体保護枠１０と吸着素子３０との関係を説明する。吸着素子３０は、高分子系吸着材やシリカゲル、ゼオライト等のデシカント材を紙等の繊維質の材料に含浸または混抄させ、その繊維質の材料を薄い板状としたものを空気が通過できるように多数の三角柱、四角柱、六角柱等を隙間なく並べたハニカム構造体を、所定の厚みで円盤状に成形したものである。吸着素子３０は、外周３１と、中心部に円形の孔３２を有した円筒で、円形の空気通過面３３を両面に有している。吸着素子３０の孔３２には中心部ホルダー３４が取り付けられており、中心部ホルダー３４の軸孔３５が、ローター枠６０に取り付けられた軸（図示せず）で軸支される。
【００２８】
吸着素子３０の外周３１には回転体保護枠１０がとり付けられる。回転体保護枠１０は、吸着素子３０の外径に等しい内径で吸着素子３０の外周３１の幅と等しい内周面１１を有し、回転体保護枠１０の外周に巻掛け駆動の伝動ベルト５２が接触する外周面１２を有し、空気通過面３３の面と同一の面になる所定の厚みの肉厚面１３を両面に有している。回転体保護枠１０の形状は、環状であり、合成樹脂で成形されている。回転体保護枠１０の肉厚面１３の所定の幅の厚みは、伝動ベルト５２の巻掛け駆動に耐えられる強度を有する厚みとなっている。吸着素子３０は、中心部ホルダー３４と回転体保護枠１０とを連接する補強具３６が複数設けられている。
【００２９】
図４を用いて回転体保護枠１０と顕熱交換器４０との関係を説明する。顕熱交換器４０は、銅合金やアルミニウムなどの薄い金属製の板で前述の吸着素子３０と同様のハニカム構造体を形成しており、所定の厚みで円盤状に成形したものである。顕熱交換器４０は、外周４１と、中心部に軸孔４５が開けられた円形の空気通過面４３を両面に有している。この軸孔４５で、ローター枠６０に取り付けられた軸（図示せず）で軸支される。
【００３０】
顕熱交換器４０の外周４１には回転体保護枠１０がとり付けられる。回転体保護枠１０は、顕熱交換器４０の外径に等しい内径で顕熱交換器４０の外周４１の幅と等しい内周面１１を有し、外周に巻掛け駆動の伝動ベルト５２が接触する外周面１２を有し、空気通過面４３の面と同一の面になる所定の厚みの肉厚面１３を両面に有している。回転体保護枠１０の形状は、環状であり、合成樹脂で成形されている。回転体保護枠１０の肉厚面１３の所定の幅の厚みは、伝動ベルト５２の巻掛け駆動に耐えられる強度を有する厚みとなっている。
【００３１】
図５と図６を用いて回転体保護枠１０について説明する。図５の環状の回転体保護枠１０は環状に２分割することができる。２分割された２つの環は同一の形状になるように分割されている。本来２分割されたものは同一の形状であり、区別をつける必要はないが説明の都合上、右側を右枠１０ａと呼び、左側を左枠１０ｂと呼ぶ。右枠１０ａおよび左枠１０ｂは、肉厚面１３の反対側で互いが嵌合する面において、凹凸のある形状となっており、内周面１１および外周面１２に接合線が見えるだけであるので、２分割された一方の右枠１０ａについて図６で説明する。
【００３２】
図６において、肉厚面１３の反対側の凹凸がある面は、肉厚面１３の厚みの半分で分割され、内周面１１側と外周面１２側の凹凸形状で、二重の環状に分割されている。そして、内周面１１側の環状の部分には、内凸部１４と内凹部１５とが所定組（実施例では４組）設けられており、外周面１２側の環状の部分には外凸部１６と外凹部１７が所定組（実施例では４組）設けられている。内凸部１４は内凹部１５に嵌合する形状であり、外凸部１６は外凹部１７に嵌合する形状となっている。また、内凸部１４の内周面１１側の中央には角孔１８が設けられており、外凸部１６の内面側で内凹部１５を形成する部分には、角孔１８に対応する爪１９が設けられている。
【００３３】
また、右枠１０ａの肉厚面１３の近傍の内面には、等間隔の所定数（実施例では４箇所）の固定部２１が設けられている。固定部２１は、肉厚面１３側では大きく角孔１８の方向に向かって小さくなる三角錐の形状の突起であり、右枠１０ａと左枠１０ｂで両側から、吸着素子３０または顕熱交換器４０を挟み込んだ場合に、それぞれの外周３１、４１を両側から押さえる楔として働き、回転体保護枠１０に回転体である吸着素子３０または顕熱交換器４０を掛止させる。
【００３４】
以上の右枠１０ａに、同一形状の左枠１０ｂの内凸部１４等の凹凸がある側を対向させ、そして、角度を所定角度（実施例では４５度）ずらして嵌合させることで回転体保護枠１０（図５参照）になる。この嵌合の状況を図７で説明する。図７は、図５の右枠１０ａと左枠１０ｂが嵌合した回転体保護枠１０のＡ―Ａ断面図である。前述のように内凸部１４と内凹部１５が回転体保護枠１０の内周面１１側で嵌合し、外凸部１６と外凹部１７が回転体保護枠１０の外周面１２側で嵌合しており、角孔１８と爪１９が掛着している。
【００３５】
破線で示している伝動ベルト５２は回転体保護枠１０に巻掛けされており、外周面１２の中心の位置を下から上方向（回転体保護枠１０の内側に向かう方向）の力で回転体保護枠１０を押している。伝動ベルト５２が回転体保護枠１０を伝動ベルト５２の幅の接触線で押すことにより、外凸部１６と内凸部１４が合わせあった部分２２が互いに密接する様に押されることになる。回転体保護枠１０の全体で見れば、回転体保護枠１０の所定の箇所（実施例では４箇所）で外凸部１６と内凸部１４の方向が変わって（内周面１１側と外周面１２側との食み出す長さが、内周面１１側が長い場合は、外周面１２側が短くなり、逆に内周面１１側が短い場合は外周面１２側が長くなるようになって）密接することになる。この結果、回転体保護枠１０の内周面１１側の接合線と外周面１２側の接合線は伝動ベルト５２の接触線を跨ぐ様に互い違いに方向が変わることにより、右枠１０ａと左枠１０ｂは互いに内周面１１側の所定箇所の内凸部１４と外周面１２側の所定箇所の外凸部１６で噛みあう方向に動き、右枠１０ａと左枠１０ｂが分離し難くなる。なお、右枠１０ａと左枠１０ｂが嵌合した回転体保護枠１０の外周面は、伝動ベルト５２が回転体保護枠１０の外周面から外れ難くするために、中央部で低く、両端に向かうに従って盛り上がるように形成されている。
【実施例２】
【００３６】
本発明の別の実施例を図８で説明する。なお、この実施例２についてのデシカント式換気扇７０およびデシカント式換気扇７０に取り付けられる吸着素子３０および顕熱交換器４０についての構成は、実施例１と同様であるので説明を省略し、実施内容の異なる回転体保護枠８０の構造についてのみ説明する。
【００３７】
図８は、回転体保護枠８０の側面図（外周面側を直角に見た図）である。回転体保護枠８０は同一の形状よりなる右枠８０ａと左枠８０ｂが接合することで構成されており、回転体保護枠８０の内周面側に表れる内側接合線８１（破線で示す）と、外周面側に表れる外側接合線８２とは夫々ジグザグ状となるように構成されている。そして内側接合線８１と外側接合線８２で表される右枠８０ａの内周面側頂点８１ａと、左枠８０ｂの外周面側頂点８２ａは同一箇所で逆方向に、伝動ベルト５２の接触線を跨ぐ様に構成されている。また、左枠８０ｂの内周面側頂点８１ａと、右枠８０ａの外周面側頂点８２ａは同一箇所で逆方向に、伝動ベルト５２の接触線を跨ぐ様に構成されている。
【００３８】
これにより、実施例１と同様に、伝動ベルト５２の内側に押す力により、右枠８０ａと左枠８０ｂは互いに噛み合うように接合し、右枠８０ａと左枠８０ｂの分離し難くなる。なお、右枠８０ａの内周面側頂点８１ａと、左枠８０ｂの外周面側頂点８２ａの組み合わせと、左枠８０ｂの内周面側頂点８１ａと、右枠８０ａの外周面側頂点８２ａの組み合わせは、均等な間隔で実施例では１６箇所の位置で組み合う様構成されている。
【実施例３】
【００３９】
本発明の別の実施例を図９で説明する。なお、この実施例３についてのデシカント式換気扇７０およびデシカント式換気扇７０に取り付けられる吸着素子３０および顕熱交換器４０についての構成は、実施例１と同様であるので説明を省略し、実施内容の異なる回転体保護枠９０の構造についてのみ説明する。
【００４０】
図９は、回転体保護枠９０の側面図（外周面側を直角に見た図）である。回転体保護枠９０は同一の形状よりなる右枠９０ａと左枠９０ｂが接合することで構成されており、回転体保護枠９０の内周面側に表れる内側接合線９１（破線で示す）と、外周面側に表れる外側接合線９２は夫々波状となるように構成されている。そして内側接合線９１と外側接合線９２で表される右枠９０ａの内周面側突出部９１ａと、左枠９０ｂの外周面側突出部９２ａは同一箇所で逆方向に、伝動ベルト５２の接触線を跨ぐ様に構成されている。また、左枠９０ｂの内周面側突出部９１ａと、右枠９０ａの外周面側突出部９２ａは同一箇所で逆方向に、伝動ベルト５２の接触線を跨ぐ様に構成されている。
【００４１】
これにより、実施例１と同様に、伝動ベルト５２の内側に押す力により、右枠９０ａと左枠９０ｂは互いに噛み合うように接合し、右枠９０ａと左枠９０ｂの分離し難くなる。なお、右枠９０ａの内周面側突出部９１ａと、左枠９０ｂの外周面側突出部９２ａの組み合わせと、左枠９０ｂの内周面側突出部９１ａと、右枠９０ａの外周面側突出部９２ａの組み合わせは、均等な間隔で実施例では１６箇所の組み合う様構成されている。
【００４２】
以上、本発明について、実施例に基づき説明してきたが、本発明は何らこれらの実施例の構成に限定するものではない。例えば、右枠１０ａ、８０ａ、９０ａと左枠１０ｂ、８０ｂ、９０ｂの接合線を凹凸、ジグザグまたは波状の単一の形状として説明しているが、凹凸、ジグザグまたは波状を組み合わせた形状の接合線としても良い。さらには接合線の形状に依らず、回転体保護枠の内周面側と外周面側とに表れる接合線が、伝動ベルト５２の接触線で互いに逆方向に跨ぐように形成されていれば、回転体保護枠の肉厚方向の内部においては、内周面側と外周面側が互いに噛みあう方向に働くことになり、右枠と左枠は分離し難くなる。また、回転体保護枠について、デシカント式換気扇を例に掲げて説明したが、巻掛け駆動により回転させられる回転体であれば実施できる。
【符号の説明】
【００４３】
１０、８０、９０：回転体保護枠
１０ａ、８０ａ、９０ａ：右枠
１０ｂ、８０ｂ、９０ｂ：左枠
１１：内周面
１２：外周面
１３：肉厚面
１４：内凸部
１５：内凹部
１６：外凸部
１７：外凹部
１８：角孔
１９：爪
２１：固定部
２２：合わせあった部分
３０：吸着素子
３１、４１：外周
３２：孔
３３、４３：空気通過面
３４：中心部ホルダー
３５、４５：軸孔
３６：補強具
４０：顕熱交換器
５０：電動機
５１：プーリー
５２：伝動ベルト
５３：テンションプーリー
６０：ローター枠
７０：デシカント式換気扇
７１：第一の送風機
７２：第一の風路
７６：第二の送風機
７７：第二の風路
７９：制御基板
８１、９１：内側接合線
８１ａ：内周面側頂点
８２、９２：外側接合線
８２ａ：外周面側頂点
９１ａ：内周面側突出部
９２ａ：外周面側突出部
【図１】
0005893945.tif 000002
【図２】
0005893945.tif 000003
【図３】
0005893945.tif 000004
【図４】
0005893945.tif 000005
【図５】
0005893945.tif 000006
【図６】
0005893945.tif 000007
【図７】
0005893945.tif 000008
【図８】
0005893945.tif 000009
【図９】
0005893945.tif 000010